(57)【要約】【課題】外輪とブーツの相対回転防止【解決手段】等速自在継手は、外輪の外周面に、ブーツの開口部を装着し、ブーツの開口部の上からブーツバンドを装着した等速自在継手であって、ブーツバンドが装着される部位に、外輪の外周面に窪みを形成し、ブーツの内周面に窪みに填まる突起を設けたものである。【選択図】図１
2007255459.tif 000002
【特許請求の範囲】
【請求項１】
外輪の外周面にブーツの開口部を装着し、前記ブーツの開口部の上から、前記ブーツバンドを装着した等速自在継手であって、前記ブーツバンドが装着される部位に、外輪の外周面に窪みを形成し、前記ブーツの内周面に前記窪みに填まる突起を設けた等速自在継手。
【請求項２】
前記外輪の窪みは、外輪の外周面の開口端部に開通した軸方向溝であり、ブーツの突起は軸方向に延在していることを特徴とする請求項１に記載の等速自在継手。
【発明の詳細な説明】
【技術分野】
【０００１】
本発明は等速自在継手の外輪とブーツの連結構造に関するものである。
【背景技術】
【０００２】
等速自在継手の外輪とブーツの連結構造は、ブーツバンドが軸方向に抜けるのを防止する径方向に突出した段部が形成された外輪の外周面に、ブーツの開口部を装着し、ブーツの開口部の上からブーツバンドを装着したものが知られている（例えば、特開平７−３１７７９７号公報）。斯かる構造によれば、ブーツバンド抜け防止段部の軸方向の両側に径方向に突出した段部が形成されているので、バンドは、ブーツバンド抜け防止段部に填まり込み、そのバンドの軸方向の抜け出しが両側の段部よって防止されており、ブーツの装着状態が強固なものになっている。
【特許文献１】特開平７−３１７７９７号公報
【発明の開示】
【発明が解決しようとする課題】
【０００３】
特開平７−３１７７９７号公報に記載された等速自在継手の外輪とブーツの連結構造は、ブーツは、ブーツバンドで強固に締め付けられており、ブーツ、ブーツバンド、および、外輪間は、ブーツバンドの締め付けによる摩擦力が作用している。
【０００４】
等速自在継手が作動角を大きくとったまま回転すると、ブーツが大きく屈曲変形しながら回転するため、外輪とブーツとの連結部分において、外輪とブーツを周方向に相対回転させようとする力が作用することがある。また、外輪およびブーツ内にグリースを封入したものでは、これらの部位にグリースが染み出す場合があり、外輪とブーツとの連結部分の各部材間の摩擦係数が低くなる可能性がある。
【０００５】
このため、外輪とブーツとの連結部分にグリースが染み出して、外輪とブーツとの連結部分の各部材間の摩擦係数が低くなった場合であって、さらに外輪とブーツを周方向に相対回転させる力が外輪とブーツとの連結部分の各部材間に掛かる摩擦力よりも大きくなり、外輪とブーツの連結部分が緩み、外輪とブーツが相対回転することが絶対にないとは言えない。
【課題を解決するための手段】
【０００６】
本発明に係る等速自在継手は、外輪の外周面に、ブーツの開口部を装着し、ブーツの開口部の上からブーツバンドを装着した等速自在継手であって、ブーツバンドが装着される部位に、外輪の外周面に窪みを形成し、ブーツの内周面に窪みに填まる突起を設けたものである。
【発明の効果】
【０００７】
この等速自在継手は、外輪の外周面に形成した窪みに、ブーツの内周面に設けた突起が填まっているので、外輪とブーツが相対回転するのを確実に防止できる。
【発明を実施するための最良の形態】
【０００８】
以下、本発明の一実施形態に係る等速自在継手を図面に基づいて説明する。
【０００９】
この等速自在継手１０は、図１に示すように、外輪１１の外周面１２に、ブーツ１３の開口部１４を装着し、ブーツ１３の開口部１４の上からブーツバンド１５を装着したものであって、ブーツバンド１５が装着される部位に、外輪１１の外周面１２に窪み１６を形成し、ブーツ１３の内周面に窪み１６に填まる突起１７を設けたものである。
【００１０】
この実施形態では、等速自在継手１０は、外輪１１と、内輪２１と、複数のトルク伝達ボール２２と、ケージ２３と、シャフト２４と、ブーツ１３を主要な構成要素としている。外輪１１の内周、内輪２１の外周にはそれぞれ軸方向に延びるトラック溝１１ａ、２１ａを周方向に複数本形成している。そして、外輪１１のトラック溝１１ａと内輪２１のトラック溝２１ａによりボールトラックを形成し、各ボールトラックに１個のトルク伝達ボール２２を組み込んでいる。ケージ２３は、外輪１１と内輪２１との間に介在しトルク伝達ボール２２を収容するためのポケット２３ａを有している。内輪２１にはシャフト２４を挿入する挿入孔２１ｂが形成されており、シャフト２４は、内輪２１に形成された挿入孔２１ｂにセレーションやスプライン等を介して嵌合している。
【００１１】
この実施形態では、外輪１１の外周面１２には、図２（ａ）に示すように、径方向に突出した段部３１が形成されている。さらに、この実施形態では、段部３１は、ブーツ１３が軸方向に抜けるのを防止するものであり、外輪１１の開口端部１２ａに形成されている。
【００１２】
ブーツ１３は、図３（ａ）に示すように、外輪１１の開口端部１２ａに装着される大径端部３２と、シャフト２４に装着される小径端部３３と、大径端部３２と小径端部３３との間を繋ぐ蛇腹部３４とを備えている。ブーツ１３の大径端部３２には、内周面に外輪１１の開口端部１２ａの段部３１に填まる窪み３５が形成されており、外周面にブーツバンド１５を装着するバンド装着溝３６が形成されている。
【００１３】
ブーツバンド１５は、図１に示すように、ブーツ１３の大径端部３２を外輪１１の開口端部に装着した状態で、ブーツ１３のバンド装着溝３６に装着されて締め込まれる。
【００１４】
この等速自在継手は、ブーツバンド１５が装着される部位において、外輪１１の外周面１２に窪み１６を形成し、ブーツ１３の内周面に窪み１６に填まる突起１７を設けている。この実施形態では、外輪１１の窪み１６は、図２（ａ）に示すように、外輪１１の外周面１２の開口端部１２ａに開通した軸方向溝であり、ブーツ１３の突起１７は、図３（ａ）に示すように、軸方向に延在している。突起１７と、窪み１６は、図２（ｂ）、図３（ｂ）に示すように、それぞれ周方向に複数（図示例では６つ）等間隔に配設されている。そして、ブーツ１３の大径端部３２を外輪１１の開口端部１２ａに装着する際、ブーツ１３の突起１７を外輪１１の窪み１６に填め合わせ、その上からブーツバンド１５を装着して締め込んでいる。
【００１５】
斯かる等速自在継手の外輪とブーツの連結構造によれば、ブーツ１３の突起１７が外輪１１の窪み１６に填まっており、ブーツ１３の突起１７を外輪１１の窪み１６が周方向に係合するので、外輪１１とブーツ１３が周方向に相対回転することはない。従って、例えば、外輪１１とブーツ１３との連結部分にグリースが染み出して、外輪１１とブーツ１３との連結部分の各部材間の摩擦係数が低くなった場合であって、さらに外輪１１とブーツ１３を周方向に相対回転させる力が外輪１１とブーツ１３との連結部分の各部材間に掛かる摩擦力よりも大きくなった場合においても、外輪１１とブーツ１３が周方向に相対回転することを確実に防止できる。
【００１６】
なお、この実施形態では、外輪１１の窪み１６としては、外輪１１の外周面１２の開口端部１２ａに開通した軸方向溝を形成しており、ブーツ１３の突起１７は軸方向に延在しているので、ブーツ１３を外輪１１に軸方向に装着することで、窪み１６と突起１７を嵌合させることができるから、ブーツ１３と外輪１１を装着する作業の作業性を悪くすることもない。
【００１７】
以上、本発明の一実施形態に係る等速自在継手の外輪とブーツの連結構造を説明したが本発明に係る等速自在継手の外輪とブーツの連結構造は上記の実施形態に限定されるものではない。
【００１８】
例えば、等速自在継手は、固定式等速自在継手に限定されることなく、ダブルオフセット型、クロスグルーブ型、トリポード型等の摺動式等速自在継手であってもよい。また、外輪に形成する窪みは軸方向溝に限定されず、ブーツに形成される突起が填まり、周方向に係合するものであればよい。また、窪みの形状も軸方向に延在した溝であることは必ずしもなく、ブーツに形成される突起が填まり、周方向に係合する形状であればよい。例えば、Ｔ字形状などの異形形状の窪みでもよい。また、外輪の外周面には、ブーツが軸方向に抜けるのを防止する溝や段差などが形成されている場合があるが、それらの形状についても、上記実施形態に限られるものではない。
【図面の簡単な説明】
【００１９】
【図１】本発明の一実施形態に係る等速自在継手を示す縦断側面図。
【図２】（ａ）（ｂ）は本発明の一実施形態に係る等速自在継手の外輪を示す。（ａ）は（ｂ）中のＡＯＡ断側面図、（ｂ）は外輪の開口端部側の端面図である。
【図３】（ａ）（ｂ）は本発明の一実施形態に係る等速自在継手のブーツを示す。（ａ）は（ｂ）中のＢＯＢ断側面図、（ｂ）はブーツの正面図である。
【符号の説明】
【００２０】
１０   等速自在継手
１１   外輪
１１ａ トラック溝
１２   外周面
１２ａ 開口端部
１３   ブーツ
１４   開口部
１５   ブーツバンド
１７   突起
２１   内輪
２１ａ トラック溝
２１ｂ 挿入孔
２２   トルク伝達ボール
２３   ケージ
２３ａ ポケット
２４   シャフト
３１   段部
３２   大径端部
３３   小径端部
３４   蛇腹部
３６   バンド装着溝
【図１】
2007255459.tif 000003
【図２】
2007255459.tif 000004
【図３】
2007255459.tif 000005